(57)【要約】【課題】  良好な耐オゾン性を有する画像を記録可能なインクセットを提供する。【解決手段】  少なくとも、イエローインク組成物、マゼンタインク組成物、及びシアンインク組成物を備えたインクセットであって、前記マゼンタインク組成物が着色剤としてＣ．Ｉ．リアクティブレッド１４１を含むことを特徴とするインクセット。【選択図】  なし【特許請求の範囲】
【請求項１】
少なくとも、イエローインク組成物、マゼンタインク組成物、及びシアンインク組成物を備えたインクセットであって、前記マゼンタインク組成物が着色剤としてＣ．Ｉ．リアクティブレッド１４１を含むことを特徴とするインクセット。
【請求項２】
前記マゼンタインク組成物として、色濃度の異なる二種のマゼンタインク組成物を備え、その少なくとも一種が着色剤としてＣ．Ｉ．リアクティブレッド１４１を含有することを特徴とする請求項１に記載のインクセット。
【請求項３】
前記色濃度の異なる二種のマゼンタインク組成物のうち、低い色濃度を有するマゼンタインク組成物がＣ．Ｉ．リアクティブレッド１４１を着色剤として含み、かつＣ．Ｉ．リアクティブレッド１４１が前記低い色濃度を有するマゼンタインク組成物の総重量に対して０．１〜１．２重量％含有されていることを特徴とする請求項２に記載のインクセット。
【請求項４】
前記色濃度の異なる二種のマゼンタインク組成物のうち、高い色濃度を有するマゼンタインク組成物が、Ｃ．Ｉ．リアクティブレッド１４１を着色剤として含み、かつＣ．Ｉ．リアクティブレッド１４１が前記高い色濃度を有するマゼンタインク組成物の総重量に対して１．２〜５．０重量％含有されていることを特徴とする請求項２又は３に記載のインクセット。
【請求項５】
前記イエローインク組成物が、着色剤として以下の式（１）：
【化１】
2005255939.tif 000010
及び以下の式（２）：
【化２】
2005255939.tif 000011
（前記式（１）及び（２）中、Ｒ5、Ｒ5’、 Ｒ6、及びＲ6’は、独立してＣＨ3、ＯＣＨ3を表し、Ｚ及びＺ’は独立して、下記式：
【化３】
2005255939.tif 000012
のいずれかの構造を有するものであり、互いに同一であっても異なっていても良い。ここで、Ｍは、Ｈ、Ｌｉ、Ｎａ、Ｋ、アンモニウム、又は有機アミン類を表し、ｎは１又は２の整数である。）
で表される化合物からなる群から選ばれる少なくとも一種を含むことを特徴とする請求項１〜４のいずれか一項に記載のインクセット。
【請求項６】
前記式（１）で表される化合物及び前記式（２）で表される化合物からなる群から選ばれる化合物が合計で、前記イエローインク組成物中に、前記イエローインク組成物の総重量に対して１．０〜６．０重量％含有されていることを特徴とする請求項５記載のインクセット。
【請求項７】
前記イエローインク組成物がＣ．Ｉ．ダイレクトイエロー５８をさらに含むことを特徴とする請求項５又は６に記載のインクセット。
【請求項８】
前記イエローインク組成物において、前記式（１）で表される化合物及び前記式（２）で表される化合物からなる群から選ばれる化合物の合計の濃度（重量％）と、Ｃ．Ｉ．ダイレクトイエロー５８の濃度（重量％）との比が、２：１〜９：１の範囲にあることを特徴とする請求項７記載のインクセット。
【請求項９】
前記シアンインク組成物が、着色剤として、以下の式（３）：
【化４】
2005255939.tif 000013
（前記式（３）中、Ｒ7は、ＯＨ又はＣＯＯＨを表し、Ｍは、Ｈ、Ｌｉ、Ｎａ、Ｋ、アンモニウム基又は有機アミン類を表し、ｌ、ｍ、ｎは、それぞれ、０〜４であり、かつ（ｌ＋ｍ＋ｎ）＝４である。）
で表される化合物の少なくとも一種を含有することを特徴とする請求項１〜８のいずれか一項に記載のインクセット。
【請求項１０】
前記シアンインク組成物が、前記式（３）で表される化合物からなる群から選ばれる少なくとも一種を着色剤として含み、かつ前記着色剤の合計量が前記シアンインク組成物の総重量に対して２．０〜６．０重量％含有されていることを特徴とする請求項９に記載のインクセット。
【請求項１１】
色濃度の異なる二種のシアンインク組成物を備えたことを特徴とする請求項１〜１０のいずれか一項に記載のインクセット。
【請求項１２】
前記色濃度の異なる二種のシアンインク組成物のうち、低い色濃度を有するシアンインク組成物が、着色剤として、前記式（３）で表される化合物から選ばれる少なくとも一種を含有することを特徴とする請求項１１に記載のインクセット。
【請求項１３】
前記色濃度の異なる二種のシアンインク組成物のうち、高い色濃度を有するシアンインク組成物が、着色剤として、前記式（３）で表される化合物から選ばれる少なくとも一種を含有することを特徴とする請求項１１又は１２に記載のインクセット。
【請求項１４】
前記高い色濃度を有するシアンインク組成物が、前記式（３）で表される化合物からなる群から選ばれる少なくとも一種を着色剤として含み、かつ前記着色剤の合計量が前記高い色濃度を有するシアンインク組成物の総重量に対して２．０〜６．０重量％含有されているとともに、前記低い色濃度を有するシアンインク組成物が、前記式（３）で表される化合物からなる群から選ばれる少なくとも一種を着色剤として含み、かつ前記着色剤の合計量が前記低い色濃度を有するシアンインク組成物の総重量に対して０．４〜３．０重量％含有されていることを特徴とする請求項１１〜１３のいずれか一項に記載のインクセット。
【請求項１５】
前記インク組成物が、ノニオン系界面活性剤を含むことを特徴とする請求項１〜１４のいずれか一項に記載のインクセット。
【請求項１６】
前記ノニオン系界面活性剤が、アセチレングリコール系界面活性剤であることを特徴とする請求項１５に記載のインクセット。
【請求項１７】
前記インク組成物が前記ノニオン系界面活性剤を０．１〜５重量％含むことを特徴とする、請求項１５又は１６に記載のインクセット。
【請求項１８】
前記インク組成物が浸透促進剤を含むことを特徴とする請求項１〜１７のいずれか一項に記載のインクセット。
【請求項１９】
前記浸透促進剤がグリコールエーテル類であることを特徴とする請求項１８に記載のインクセット。
【請求項２０】
請求項１〜１９のいずれかに一項に記載されたインクセットを一体的に又は独立に収容したことを特徴とするインクカートリッジ。
【請求項２１】
請求項１〜１９のいずれか一項に記載のインクセット又は請求項２０に記載のインクカートリッジを用いて記録することを特徴とするインクジェット記録方法。
【請求項２２】
請求項１〜１９のいずれか一項に記載のインクセット又は請求項２０に記載のインクカートリッジを用いて記録されたことを特徴とする記録物。
【発明の詳細な説明】
【技術分野】
【０００１】
本発明は、インクセット、特に、耐オゾン性に優れた画像を形成することができるインクセットに関するものである。
【背景技術】
【０００２】
近年、インクジェット記録方法が注目されている。インクジェット記録方法は、インク組成物を小滴として飛翔させ、この小滴を紙等の記録媒体（メディア）に付着させて印刷を行なう印刷方法である。この方法は、比較的安価な装置により高解像度かつ高品位な画像を高速で印刷可能であるという特徴を有する。そして、この方法を利用したインクジェット記録装置は、優れた印字品質、低コスト、比較的静かな動作、優れたグラフィック形成能により、市場に広く受け入れられている。中でも、サーマル（バブルジェット（登録商標））及び圧電ドロップ・オン・デマンドプリンターは、商業的にとりわけ成功し、オフィス及び家庭でのパソコン用プリンターとして広く用いられてきた。
【０００３】
さらに近年、複数のカラーインク組成物を用いたインクジェット記録方法によってカラー画像を形成して記録物を得ることが行われている。一般に、カラー画像の形成は、イエローインク組成物、マゼンタインク組成物、及びシアンインク組成物の三色、さらに所望によりブラックインク組成物を加えた四色によって行われている。また、これらの四色にライトシアンインク組成物及びライトマゼンタインク組成物を加えた六色又はそれらにさらにダークイエローインク組成物を加えた七色によってカラー画像形成を行なう場合もある。このような２種以上のインク組成物を組み合わせたものがインクセットである。
【０００４】
上述したカラー画像の形成に用いられるインク組成物には、各色ごとのインク組成物自身が良好な発色性を有していることに加え、複数色のインク組成物を組み合わせたときに良好な中間色を発色することができること、及び得られる記録物が保存中に変退色しないこと等が求められる。
【０００５】
さらに最近、カラーインクジェットプリンタによる"写真画質"印刷においては、ヘッド、インク組成物、記録方法、及びメディアのそれぞれの継続的な改良がなされ、得られる画質は"銀塩写真"と遜色ないレベルとなり、"写真並"となった。その一方で、インク組成物及びメディアの改良により、カラーインクジェットプリンタを用いて得られる記録物の画像の保存性の向上が図られており、特に画像の耐光性に関しては、実用上問題のないレベルまで改良されてきた（例えば、特許文献１及び２参照）。しかし、画像の劣化は、光の作用によって生じるだけでなく、環境中に存在する酸化性ガス、例えばオゾンによる酸化によっても生じ、画像の退色や変色が進行する。したがって、記録物の画像の保存性をさらに向上させるためには、インク組成物によって形成された画像の耐光性を向上させるとともに、耐オゾン性もあわせて向上させることが望まれている。
【０００６】
また、インクセットにおいて、特定のインク組成物の耐オゾン性が他のインク組成物の耐オゾン性よりも著しく低い場合、その特定のインク組成物によって形成された色が他の色よりも早く退色及び変色等してしまい、画像全体の色調のバランスが悪くなるが、そうすると観察者は、単独のインク組成物によって形成された画像が退色することを認識できるようになるよりも短時間内に画像の画質劣化を認識できるようになる。したがって、インクセットにおいては、インクセットを構成する各インク組成物各々の耐オゾン性を向上させることと併せて、各インク組成物の耐オゾン性レベル、すなわち各インク組成物によって形成される画像のオゾンによる劣化速度、例えば退色速度もできるだけ同じであることが好ましい。言い換えれば、インクセットを構成する各インク組成物の耐オゾン性が優れているとともに、各インク組成物間の耐オゾン性の差が小さいことが好ましい。
【０００７】
また、同系色について色濃度の異なる濃淡２種のインク組成物を含めてインクセットを構成することによって、様々な色濃度の画像を形成でき、粒状感のない画像を得ることができるようになった。このような色濃度の異なる２種のインク組成物を含むインクセットは主に写真画像の印刷に用いられるが、写真画像の形成においては、画像の粒状感を緩和又は解消するため、一般に色濃度の低いインク組成物が使用されるケースが多い。また、前述した耐オゾン性の評価においても、評価試料となる光学濃度が１．０近傍のパターンは、色濃度の低いインク組成物によって形成される。したがって、記録物の写真画像の耐オゾン性、及びインクセット全体としての耐オゾン性向上のためには、色濃度の低いインク組成物の耐オゾン性を改良することが重要である。一方、色濃度の濃いインク組成物は、極彩色の画像やグラフィックアート的なパターンの印刷に用いられるため、これらのインク組成物の耐オゾン性の改良も必要である。
【０００８】
【特許文献１】特開２０００−２９０５５９号公報
【特許文献２】特開２００１−２８８３９２号公報
【発明の開示】
【発明が解決しようとする課題】
【０００９】
上述のとおり、インクセットにおいてはインクセットを構成する各インク組成物自身の耐オゾン性が良好であるとともに、各インク組成物間の耐オゾン性のバランスが良く、オゾンに晒された場合に特定色が他の色に比べて早く退色及び／又は変色しないようにすることが必要とされる。
【００１０】
本発明は、上記課題を解決すべく完成されたものであり、耐オゾン性が良好な画像を記録媒体上に記録することが可能なインクセット、そのインクセットを収容したインクカートリッジ、そのインクセットを使用した記録方法、及びそのインクセットにより記録された記録物に関するものである。
【課題を解決するための手段】
【００１１】
本発明の第一の態様のインクセットは、少なくとも、イエローインク組成物、マゼンタインク組成物、及びシアンインク組成物を備えたインクセットであって、前記マゼンタインク組成物が着色剤としてＣ．Ｉ．リアクティブレッド１４１を含むことを特徴とするものである。
【００１２】
本発明の第二の態様のインクセットは、上記第一の態様のインクセットにおいて、マゼンタインク組成物として、色濃度の異なる二種のマゼンタインク組成物を備え、その少なくとも一種が着色剤としてＣ．Ｉ．リアクティブレッド１４１を含有することを特徴とするものである。
【００１３】
色濃度の異なる二種のマゼンタインク組成物を備えた上記第二の態様のインクセットにおいては、低い色濃度を有するマゼンタインク組成物（以下、淡マゼンタインク組成物とも記す）がＣ．Ｉ．リアクティブレッド１４１を着色剤として含み、かつＣ．Ｉ．リアクティブレッド１４１が前記淡マゼンタインク組成物の総重量に対して０．１〜１．２重量％含有されていることが好ましい。
【００１４】
色濃度の異なる二種のマゼンタインク組成物を備えた上記第二の態様のインクセットにおいては、高い色濃度を有するマゼンタインク組成物（以下、濃マゼンタインク組成物とも記す）が、Ｃ．Ｉ．リアクティブレッド１４１を着色剤として含み、かつＣ．Ｉ．リアクティブレッド１４１が前記濃マゼンタインク組成物の総重量に対して１．２〜５．０重量％含有されていることが好ましい。
【００１５】
さらに本発明の上記の各インクセットにおいては、イエローインク組成物が、着色剤として以下の式（１）：
【化１】
2005255939.tif 000002
及び以下の式（２）：
【化２】
2005255939.tif 000003
（前記式（１）及び（２）中、Ｒ5、Ｒ5’、 Ｒ6、及びＲ6’は、独立してＣＨ3、ＯＣＨ3を表し、Ｚ及びＺ’は独立して、下記式：
【化３】
2005255939.tif 000004
のいずれかの構造を有するものであり、互いに同一であっても異なっていても良い。ここで、Ｍは、Ｈ、Ｌｉ、Ｎａ、Ｋ、アンモニウム、又は有機アミン類を表し、ｎは１又は２の整数である。）
で表される化合物からなる群から選ばれる少なくとも一種を含むことが好ましい。
さらに上記式（１）で表される化合物及び式（２）で表される化合物からなる群から選ばれる化合物が合計で、イエローインク組成物中にその総重量の１．０〜６．０重量％含有されていることが好ましい。
【００１６】
本発明のインクセットにおいては、上記イエローインク組成物がＣ．Ｉ．ダイレクトイエロー５８をさらに含むことが好ましい。
【００１７】
さらに上記イエローインク組成物においては、前記式（１）で表される化合物及び前記式（２）で表される化合物からなる群から選ばれる化合物の合計の濃度（重量％）と、Ｃ．Ｉ．ダイレクトイエロー５８の濃度（重量％）との比が、２：１〜９：１の範囲にあることが好ましい。
【００１８】
本発明のインクセットにおいては、シアンインク組成物が着色剤として、以下の式（３）：
【化４】
2005255939.tif 000005
（前記式（３）中、Ｒ7は、ＯＨ又はＣＯＯＨを表し、Ｍは、Ｈ、Ｌｉ、Ｎａ、Ｋ、アンモニウム基又は有機アミン類を表し、ｌ、ｍ、ｎは、それぞれ、０〜４であり、かつ（ｌ＋ｍ＋ｎ）＝４である。）
で表される化合物の少なくとも一種を含有することが好ましい。
【００１９】
さらに上記シアンインク組成物は、前記式（３）で表される化合物からなる群から選ばれる少なくとも一種を着色剤として含み、かつ前記着色剤の合計量が前記シアンインク組成物の総重量に対して２．０〜６．０重量％含有されていることが好ましい。
【００２０】
さらに本発明の上記各インクセットにおいては、シアンインク組成物として、色濃度の異なる二種のシアンインク組成物を備えることが好ましい。
【００２１】
本発明のインクセットが色濃度の異なる二種のシアンインク組成物を備える場合は、低い色濃度を有するシアンインク組成物（以下、淡シアンインク組成物とも記す）が、着色剤として、前記式（３）で表される化合物から選ばれる少なくとも一種を含有することが好ましい。
【００２２】
本発明のインクセットが色濃度の異なる二種のシアンインク組成物を備える場合は、高い色濃度を有するシアンインク組成物（以下、濃シアンインク組成物とも記す）が、着色剤として、前記式（３）で表される化合物から選ばれる少なくとも一種を含有することが好ましい。
【００２３】
さらに、上記の色濃度の異なる二種のシアンインク組成物が、前記式（３）で表される化合物からなる群から選ばれる少なくとも一種を着色剤として含み、かつ前記着色剤の合計量が前記濃シアンインク組成物の総重量に対して２．０〜６．０重量％含有されているとともに、前記淡シアンインク組成物が、前記式（３）で表される化合物からなる群から選ばれる少なくとも一種を着色剤として含み、かつ前記着色剤の合計量が前記淡シアンインク組成物の総重量に対して０．４〜３．０重量％含有されていることが好ましい。
【００２４】
本発明のインクセットにおいては、インクセットを構成するインク組成物が、ノニオン系界面活性剤を含むことが好ましい。
【００２５】
さらに、上記ノニオン界面活性剤が、アセチレングリコール系界面活性剤であることが好ましい。
【００２６】
さらに、本発明のインクセットを構成するインク組成物が前記ノニオン系界面活性剤を０．１〜５重量％含むことが好ましい。
【００２７】
さらに、本発明のインクセットを構成するインク組成物が浸透促進剤を含むことが好ましい。
【００２８】
上記浸透促進剤は、グリコールエーテル類であることが好ましい。
【００２９】
本発明のインクカートリッジは、上述したインクセットを一体的に又は独立に収容したことを特徴とするものである。
【００３０】
本発明のインクジェット記録方法は、上述したインクセット又は上記インクカートリッジを用いて記録することを特徴とするものである。
【００３１】
本発明の記録物は、上述したインクセット又は上記インクカートリッジを用いて記録されたことを特徴とするものである。
【００３２】
本発明のインクセットを用いて記録した記録物は、耐オゾン性に優れる。さらに、本発明のインクセットは、インクジェット記録方法に用いるインクセットとして優れる。
【発明を実施するための最良の形態】
【００３３】
本発明の第一の態様に係るインクセットは、イエローインク組成物、マゼンタインク組成物、及びシアンインク組成物を含み、前記マゼンタインク組成物がＣ．Ｉ．リアクティブレッド１４１を着色剤として含むものである。
【００３４】
本発明の第二の態様に係るインクセットは、上記インクセットにおいて、マゼンタインク組成物として色濃度の異なる少なくとも二種のマゼンタインク組成物を備えたインクセットであり、二種のマゼンタインク組成物のうちの少なくとも一種がＣ．Ｉ．リアクティブレッド１４１を着色剤として含むものである。特に淡マゼンタインク組成物が、Ｃ．Ｉ．リアクティブレッド１４１を着色剤として含有していることが好ましい。
【００３５】
本発明の第三の態様に係るインクセットは、上記第一及び第二の態様に係るインクセットにおいて、イエローインク組成物が、前記式（１）で表される化合物（以下、式（１）の染料とも記す）及び前記式（２）で表される化合物（以下、式（２）の染料とも記す）からなる群から選ばれる少なくとも一種を着色剤として含むものである。前記イエローインク組成物にはさらにＣ．Ｉ．ダイレクトイエロー５８を含めてもよい。
【００３６】
本発明の第四の態様に係るインクセットは、上記第一から第三の態様に係るインクセットにおいて、さらに、シアンインク組成物が、前記式（３）で表される化合物（以下、式（３）の染料とも記す）の少なくとも一種を着色剤として含むものである。さらに、シアンインク組成物として色濃度の異なる少なくとも二種のシアンインク組成物を備えたインクセットが好ましく、少なくとも二種のシアンインク組成物のうちの少なくとも一種が、前記式（３）の染料の少なくとも一種を着色剤として含むことが好ましい。特に淡シアンインク組成物が前記式（３）の染料を着色剤として含むことが好ましい。
【００３７】
本発明のインクセットはいずれも、インク組成物を用いる記録方法に用いられ、インク組成物を用いた記録方法としては、例えば、インクジェット記録方法、ペン等の筆記具による記録方法、その他各種の印字及び印刷方法があげられる。本発明のインクセットは、特にインクジェット記録方法に用いるインクセットとして好ましい。
【００３８】
以下、本発明のインクセットを構成する各インク組成物について説明する。初めに各インク組成物中に含有される着色剤について説明する。本発明のインクセットにおいては、インクセットを構成する各インク組成物に特定の染料を着色剤として用いることにより、インクセットとして優れた耐オゾン性を発現させることができる。
【００３９】
まず、本発明のインクセットに用いるマゼンタインク組成物について説明する。本発明のマゼンタインク組成物はＣ．Ｉ．リアクティブレッド１４１を着色剤として含む。
【００４０】
本発明のマゼンタインク組成物中のＣ．Ｉ．リアクティブレッド１４１の含有量は、マゼンタインクとして所望する色濃度が得られるように適宜選択して定めることができる。マゼンタインク組成物として濃マゼンタインク組成物および淡マゼンタインク組成物を含めてインクセットを構成する場合は、これら二種のうちの少なくとも一種がＣ．Ｉ．リアクティブレッド１４１を着色剤として含み、さらにこれらの二種がともにＣ．Ｉ．リアクティブレッド１４１を着色剤として含むことがさらに好ましい。濃マゼンタインク組成物に着色剤としてＣ．Ｉ．リアクティブレッド１４１を含有させる場合は、濃マゼンタインク組成物の総重量に対して１．２〜５．０重量％のＣ．Ｉ．リアクティブレッド１４１を含有させることが好ましい。着色剤の濃度を１．２重量％以上にすることによって濃マゼンタインク組成物として必要な発色性を確保することができ、かつ着色剤の濃度を５．０重量％以下にすることによって、インクジェット記録方法に用いた場合のノズルからの好ましい吐出性の確保、及びノズルの目詰まりを防止すること等が容易となる。
【００４１】
また、淡マゼンタインク組成物に着色剤としてＣ．Ｉ．リアクティブレッド１４１を含有させる場合は、淡マゼンタインク組成物の総重量に対して０．１〜１．２重量％のＣ．Ｉ．リアクティブレッド１４１を含有させることが好ましい。着色剤の濃度を０．１重量％以上にすることによって淡マゼンタインク組成物として必要な発色性を確保することができ、かつ着色剤の濃度を１．２重量％以下にすることによって、淡マゼンタインク組成物を用いて記録された記録物の画像における好ましくない粒状感の発生を防止することができる。
【００４２】
本発明のマゼンタインク組成物、又は濃マゼンタインク組成物及び淡マゼンタインク組成物において、色調などを調整するために、耐オゾン性を大きく損ねない範囲でＣ．Ｉ．リアクティブレッド１４１以外のマゼンタ系染料を着色剤として併用することができる。
【００４３】
Ｃ．Ｉ．リアクティブレッド１４１以外のマゼンタ系染料としては、例えば、Ｃ．Ｉ．ダイレクトレッド２，４，９，２３，２６，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．ダイレクトバイオレット７，９，４７，４８，５１，６６，９０，９３，９４，９５，９８，１００，１０１、Ｃ．Ｉ．アシッドレッド３５，４２，５２，５７，６２，８０，８２，１１１，１１４，１１８，１１９，１２７，１２８，１３１，１４３，１５１，１５４，１５８，２４９，２５４，２５７，２６１，２６３，２６６，２８９，２９９，３０１，３０５，３３６，３３７，３６１，３９６，３９７、Ｃ．Ｉ．アシッドバイオレット５，３４，４３，４７，４８，９０，１０３，１２６、Ｃ．Ｉ．リアクティブレッド３，１３，１７，１９，２１，２２，２３，２４，２９，３５，３７，４０，４１，４３，４５，４９，５５、Ｃ．Ｉ．リアクティブバイオレット１，３，４，５，６，７，８，９，１６，１７，２２，２３，２４，２６，２７，３３，３４、Ｃ．Ｉ．ベーシックレッド１２，１３，１４，１５，１８，２２，２３，２４，２５，２７，２９，３５，３６，３８，３９，４５，４６、Ｃ．Ｉ．ベーシックバイオレット１，２，３，７，１０，１５，１６，２０，２１，２５，２７，２８，３５，３７，３９，４０，４８等を例示できる。
【００４４】
次に本発明のインクセットを構成するイエローインク組成物に用いる着色剤について説明する。本発明のインクセットにおいて、イエローインク組成物に用いる着色剤は特定構造の着色剤に限定されるものではないが、他の色のインク組成物の耐オゾン性とイエローインク組成物の耐オゾン性との間の差が小さいことが好ましい。本発明のインクセットに含まれるイエローインク組成物は、前記式（１）の染料及び前記式（２）の染料からなる群から選ばれる少なくとも一種を着色剤として含有することが特に好ましい。さらに、本発明のイエローインク組成物には着色剤としてさらにＣ．Ｉ．ダイレクトイエロー５８を含有させてもよい。この場合、イエローインク組成物に含まれる式（１）の染料及び式（２）の染料の合計の濃度（重量％）と、Ｃ．Ｉ．ダイレクトイエロー５８の濃度（重量％）との比が、２：１〜９：１の範囲にあることが好ましい。この範囲で各染料を用いた場合には、他の画像保存性に悪影響を与えることなく、耐オゾン性を他のインクのレベルに合わせることができる。
【００４５】
イエローインク組成物の着色剤として上記構成を採用することにより、本発明のインクセットを用いて形成される画像の耐オゾン性を良好にすることができ、かつ、他の色のインク組成物の耐オゾン性とのバランスにも優れたインクセットを得ることができる。
【００４６】
イエローインク組成物中の着色剤の濃度は、着色剤として用いられる染料のカラーバリューにしたがって適宜決定することができる。上記式（１）及び式（２）の染料からなる群から選ばれる少なくとも一種を着色剤として本発明のイエローインク組成物中に含める場合、一般的には、イエローインク組成物中に前記式（１）及び式（２）の染料からなる群から選ばれた着色剤が合計で、イエローインク組成物の総重量に対して１．０〜６．０重量％含有されることが好ましい。イエローインク組成物中における前記着色剤の合計量の濃度を１．０重量％以上にすることによって良好な発色性を得ることができ、また前記着色剤の合計量の濃度を６．０重量％以下にすることによって、インクジェット記録方法に用いるためのインク組成物として必要とされる、ノズルからの吐出性等の特性を良好なものにし、インクノズルの目詰まりを防止することができる。
【００４７】
また、本発明においては、イエローインク組成物の色調などを調整するために、耐オゾン性を大きく損ねない範囲で、上記の染料とともにその他のイエロー系染料を併用することもできる。
【００４８】
本発明において用いることができる、その他のイエロー系染料としては、例えば、Ｃ．Ｉ．ダイレクトイエロー８，９，１１，１２，２７，２８，２９，３３，３５，３９，４１，４４，５０，５３，５９，６８，８７，９３，９５，９６，９８，１００，１０６，１０８，１０９，１１０，１３０，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０等を挙げることができるが、これらに限定されない。
【００４９】
次に本発明においてシアンインク組成物に用いられる着色剤について説明する。本発明のインクセットにおけるシアンインク組成物に用いられる着色剤は、特に限定されるものではないが、本発明のインクセットを用いて得られる画像の耐オゾン性を良好に保つためには、シアンインク組成物が優れた耐オゾン性を有するとともに、他の色のインク組成物の耐オゾン性との差が小さいことが好ましい。耐オゾン性に優れ、かつ他の色のインク組成物の耐オゾン性と大きな差がないことから、本発明のシアンインク組成物に用いられる着色剤としては、前記の式（３）の染料から選ばれる少なくとも一種を含むことが好ましい。
【００５０】
本発明のインクセットにおけるシアンインク組成物中の着色剤の濃度は、着色剤として用いられる染料のカラーバリューにしたがって適宜決定することができるが、着色剤として上記式（３）の染料の少なくとも一種を用いる場合、一般に、式（３）の染料の合計量が、シアンインク組成物中に、シアンインク組成物の総重量に対して２．０〜６．０重量％含有されることが好ましい。シアンインク中に含まれる式（３）の染料の濃度を２．０重量％以上にすることにより、優れた発色性を得ることができ、さらに式（３）の染料の濃度を６．０重量％以下にすることにより、インクジェット記録方法に用いるためのインク組成物として必要とされるノズルからのインクの吐出性等の物性を好ましいものにすることができ、しかもインクジェットノズルの目詰まりが生じにくい等の効果が得られる。
【００５１】
本発明においては、所望によりシアンインク組成物として濃シアンインク組成物及び淡シアンインク組成物をインクセットに含めることができる。その場合、濃シアンインク組成物又は淡シアンインク組成物の少なくとも一つが前記式（３）の染料の少なくとも一種を着色剤として含有することが好ましく、淡シアンインク組成物が前記式（３）の染料の少なくとも一種を着色剤として含むことがさらに好ましい。濃シアンインク組成物及び淡シアンインク組成物の両者が前記式（３）の染料の少なくとも一種を着色剤として含むことが特に好ましい。
【００５２】
濃シアンインク組成物及び淡シアンインク組成物をインクセットに含める場合、淡シアンインク組成物中の着色剤の濃度は、着色剤として用いられる染料の種類に応じて、淡シアンインク組成物を濃シアンインク組成物と組み合わせたときに好ましいカラーバランスを有するよう適宜決定することができる。淡シアンインク組成物中に式（３）の染料の少なくとも一種を着色剤として含める場合、その着色剤が合計で淡シアンインク組成物の総重量に対して０．４〜３．０重量％含まれていることが好ましい。淡シアンインク組成物中の前記着色剤の濃度を０．４重量％以上にすることにより、発色性を優れたものにすることができ、かつ、前記着色剤の濃度を３．０重量％以下にすることによって、そのインク組成物を用いて記録された画像の粒状性が荒くなることを防止することができる。また、濃シアンインク組成物中に式（３）の染料の少なくとも一種を着色剤として含める場合、その着色剤が合計で濃シアンインク組成物の総重量に対して２．０〜６．０重量％含まれていることが好ましい。濃シアンインク組成物中の前記着色剤の濃度を２．０重量％以上にすることにより、発色性を優れたものにでき、かつ、前記着色剤の濃度を６．０重量％以下にすることにより、インクジェット記録方法に用いるためのインク組成物として必要とされる、ノズルからのインクの吐出性等の物性を好ましいものにすることができ、しかもインクジェットノズルの目詰まりが生じにくい等の効果が得られる。
【００５３】
本発明のインクセットにおけるシアンインク組成物、又は濃シアンインク組成物及び淡シアンインク組成物においては、着色剤として前記式（３）の染料の少なくとも一種を用いることが特に好ましいが、インクの色調の調整等のため、耐オゾン性を大きく損ねない範囲で他のシアン系染料を併用することができる。他のシアン系染料としては、例えば、Ｃ．Ｉ．ダイレクトブルー１，１０，１５，２２，２５，５５，６７，６８，７１，７６，７７，７８，８０，８４，９０，９８，１０６，１０８，１０９，１５１，１５６，１５８，１５９，１６０，１６８，１８９，１９２，１９３，１９４，２００，２０１，２０２，２０３，２０７，２１１，２１３，２１４，２１８，２２５，２２９，２３６，２３７，２４４，２４８，２４９，２５１，２５２，２６４，２７０，２８０，２８８，２８９，２９１、Ｃ．Ｉ．アシッドブルー９，２５，４０，４１，６２，７２，７６，７８，８０，８２，９２，１０６，１１２，１１３，１２０，１２７：１，１２９，１３８，１４３，１７５，１８１，２０５，２０７，２２０，２２１，２３０，２３２，２４７，２５８，２６０，２６４，２７１，２７７，２７８，２７９，２８０，２８８，２９０，３２６、Ｃ．Ｉ．リアクティブブルー２，３，５，８，１０，１３，１４，１５，１７，１８，１９，２１，２５，２６，２７，２８，２９，３８、Ｃ．Ｉ．ベーシックブルー１，３，５，７，９，２２，２６，４１，４５，４６，４７，５４，５７，６０，６２，６５，６６，６９，７１等を挙げることができるが、これらに限定されない。
【００５４】
本発明のインクセットは、イエローインク組成物、マゼンタインク組成物、及びシアンインク組成物に、さらにブラックインク組成物を備えてもよい。
【００５５】
以上本発明の各インク組成物に用いる着色剤及びそのインク組成物中の着色剤含有量について説明したが、以下、各インク組成物に含まれるその他の成分について説明する。
【００５６】
本発明における各インク組成物は、上述した着色剤（染料）を適当な溶媒に溶解して得ることができる。上記各インク組成物において着色剤を溶解するための溶媒としては、水、または水と水溶性有機溶剤との混合液を主溶媒として用いることが好ましい。水としては、イオン交換水、限外濾過水、逆浸透水、蒸留水等を用いることができる。また、長期保存の観点から、紫外線照射や過酸化水素添加などの各種化学滅菌処理を施した水を用いることが好ましい。本発明のインクセットを構成する各インク組成物における水の含有量は、各インク組成物の重量のうちの４０〜９０重量％であることが好ましく、５０〜８０重量％であることがさらに好ましい。
【００５７】
本発明における各インク組成物は、上述のとおり、溶媒として水とともに水溶性有機溶剤を用いることができる。この水溶性有機溶剤としては、染料を溶解する能力を有するものが好ましく、かつ蒸気圧が純水よりも小さいものが好ましい。本発明において用いる水溶性有機溶剤としては、例えば、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が好ましいが、これらに限定されるものではない。水とともに水溶性有機溶剤をインク組成物の溶媒として用いることによって、インクヘッドからのインク組成物の吐出安定性を向上させること、及び他の特性をほとんど変化させずにインク組成物の粘度を下げる等の調節を容易に行うことができる。
【００５８】
また、糖類から選ばれる少なくとも一種の保湿剤を、本発明の各インク組成物に含有させることができる。インク組成物に保湿剤を含有させることにより、インクジェット記録方法にインク組成物を用いた場合、インクからの水分の蒸発を抑制してインクを保湿することができる。本発明に用いる糖類としては、マルチトール、ソルビトール、グルコノラクトン、マルトース等が好ましい。なお、上述した水溶性有機溶剤も保湿剤としてはたらく場合がある。
【００５９】
上記水溶性有機溶剤及び／又は保湿剤は合計して、インク組成物中に５〜５０重量％、さらに好ましくは５〜３０重量％、特に好ましくは５〜２０重量％含有させることができる。これらの含有量を５重量％以上にすることによって良好なインクの保湿性が得られ、かつ５０重量％以下にすることによって、インク組成物の粘度をインクジェット記録方法に用いるための好ましい粘度に調整することができる。
【００６０】
また、本発明のインク組成物には、記録媒体へのインクの速やかな定着性（浸透性）を得るとともに、１ドットの真円度を保つために有効な添加剤として、ノニオン系界面活性剤を含有させることが好ましい。本発明に用いられるノニオン系界面活性剤としては、例えば、アセチレングリコール系界面活性剤が挙げられる。アセチレングリコール系界面活性剤として、具体的には、サーフィノール４６５（商標）、サーフィノール１０４（商標）（以上商品名、Air Products and Chemicals, Inc. 社製）、オルフィンＳＴＧ（商標）、オルフィンＥ１０１０（商標）（以上商品名、日信化学社製）等が挙げられる。
【００６１】
本発明においては、インク組成物中にノニオン系界面活性剤が、好ましくは０．１〜５重量％、さらに好ましくは０．５〜２重量％含まれるように、各インク組成物にノニオン系界面活性剤を添加するのがよい。インク組成物にノニオン系界面活性剤を０．１重量％以上含有させることによって、記録媒体に対する各インク組成物の浸透性を高くすることができる。またインク組成物中のノニオン系界面活性剤の含有量を５重量％以下にすることにより、記録媒体上にインク組成物によって形成された画像がにじみにくいという効果が得られる。
【００６２】
さらに、浸透促進剤として、グリコールエーテル類をインク組成物に添加することにより、記録媒体に対するインク組成物の浸透性が向上するとともに、カラー印刷を行った場合に隣り合うカラーインクどうしの境界において、インクのブリード（ブリーディング）が減少し、非常に鮮明な画像を得ることができる。したがって、本発明のインクセットを構成するインク組成物には浸透促進剤を添加することが好ましい。
【００６３】
浸透促進剤として本発明に用いる上記グリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が好ましいが、これらに限定されるものではない。これらのグリコールエーテル類は、インク組成物中に３〜３０重量％、さらに好ましくは５〜１５重量％含まれるように各インク組成物中に添加されることが好ましい。グリコールエーテル類の添加量を３重量％以上にすることにより、カラー印刷時における隣り合うインク間のブリード（ブリーディング）を有効に防止でき、さらにこの添加量を３０重量％以下にすることにより、画像のにじみが発生することを防止しやすくなり、かつインクの保存安定性を高めることができる。
【００６４】
さらに、本発明における各インク組成物には、トリエタノールアミンやアルカリ金属水酸化物等のｐＨ調整剤、アルギン酸ナトリウム等の水溶性ポリマー、水溶性樹脂、フッ素系界面活性剤、防腐剤、防カビ剤、防錆剤、溶解助剤、酸化防止剤、及び紫外線吸収剤等から選ばれる材料を所望により添加することができる。これらの成分は、各種別に一種又は二種以上を混合して用いることができる。また、添加する必要がなければ添加しなくてもよい。当業者は本発明の効果を損なわない範囲で、選択された好ましい添加剤を好ましい量で用いることができる。なお、上記溶解助剤とは、インク組成物から不溶物が析出する場合に、その不溶物を溶解し、インク組成物を均一な溶液に保つための添加剤である。
【００６５】
上記溶解助剤としては、Ｎ−メチル−２−ピロリドン、２−ピロリドンなどのピロリドン類、尿素、チオ尿素、テトラメチル尿素などの尿素類、アロハネート、メチルアロハネート等のアロハネート類、ビウレット、ジメチルビウレット、テトラメチルビウレットなどのビウレット類などを挙げることができるがこれらに限定されない。また、上記酸化防止剤の例としては、Ｌ−アスコルビン酸及びその塩類等が例示できるが、これらに限定されない。
【００６６】
上記防腐剤又は防カビ剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、及び１，２−ジベンジソチアゾリン−３−オン（ＡＶＥＣＩＡ社のプロキセルＣＲＬ、プロキセルＢＤＮ、プロキセルＧＸＬ、プロキセルＸＬ−２、及びプロキセルＴＮ（以上商品名））等を例示できるが、これらに限定されない。
【００６７】
上記ｐＨ調整剤としては、ジエタノールアミン、トリエタノールアミン、プロパノールアミン、モルホリン等のアミン類及びそれらの変性物、水酸化カリウム、水酸化ナトリウム、水酸化リチウムなどの金属水酸化物、水酸化アンモニウム、四級アンモニウム水酸化物（テトラメチルアンモニウム等）等のアンモニウム塩、炭酸カリウム、炭酸ナトリウム、炭酸リチウムなどの炭酸塩類その他燐酸塩類などが例示できるが、これらに限定されない。
【００６８】
なお、本発明のインクセットを構成する各インク組成物は、そのｐＨが２０℃において７．０〜１０．５であることが好ましく、７．５〜１０．０であることがさらに好ましい。２０℃におけるインク組成物のｐＨを７．０以上にすることによってインクジェットヘッドの共析メッキが剥離することを防止することができ、かつインクジェットヘッドからのインク組成物の吐出特性を安定化することができる。また、インク組成物のｐＨを２０℃において１０．５以下にすることによって、インク組成物が接触する各種の部材、たとえばインクカートリッジやインクジェットヘッドを構成する部材が劣化されることを防ぐことができる。
なお、本発明におけるインク組成物のｐＨ値は、市販のｐＨメーターを用い、インク組成物にｐＨ電極を直接挿入することによって測定される値である。
【００６９】
本発明のインクセットを構成する各インク組成物は、上述した成分から適宜選ばれた成分を含んで構成されるが、得られる各インク組成物の粘度が２０℃において１０ｍＰａ・ｓ未満であることが好ましい。さらに、本発明においては各インク組成物の表面張力が２０℃において４５ｍＮ／ｍ以下であることが好ましく、２５〜４５ｍＮ／ｍの範囲であることが特に好ましい。粘度及び表面張力をこのように調整することによって、インクジェット記録方法に用いるために好ましい特性を有するインク組成物を得ることができる。この粘度及び表面張力の調整は、インク組成物に含有させる溶剤及び各種添加剤の添加量、並びにそれらの種類等を適宜調節及び選択することによって行うことができる。
【００７０】
本発明における各インク組成物の調製方法としては、たとえば、各インク組成物に含有される各種成分を充分に混合してできるだけ均一に溶解した後、孔径１μｍ程度のメンブランフィルターで加圧濾過し、さらに得られた溶液を真空ポンプを用いて脱気処理して調製する方法が例示できるが、これに限定されない。
【００７１】
次に、上述した各インク組成物を用いた本発明のインクセットは、これらを一体的に若しくは独立に収容したインクカートリッジとして用いることができ、取り扱いが便利である点等からも好ましい。インクセットを含んで構成されるインクカートリッジは当技術分野において公知であり、公知の方法を適宜用いてインクカートリッジにすることができる。
【００７２】
本発明のインクセット又はインクカートリッジは一般の筆記具用、記録計用、ペンプロッター用等に用いることができるが、インクジェット記録方法に用いることが特に好ましい。本発明のインクセット又はインクカートリッジを用いることができるインクジェット記録方法は、インク組成物を細いノズルから液滴として吐出させ、その液滴を記録媒体に付着させる全ての方法を含む。
【００７３】
本発明のインクセット又はインクカートリッジは、インクジェット記録方式による画像記録方法を用いて記録媒体上に画像を記録する場合に用いるインク組成物として特に好ましい。本発明のインクセットを用いて記録された記録物は優れた画質を有し、さらに耐オゾン性にも優れている。
【実施例】
【００７４】
以下に、実施例に基づいて本発明をさらに具体的に説明するが、本発明は以下の実施例に限定されるものではない。
【００７５】
〔各インク組成物の調製〕
以下の表１に示した組成にしたがって各成分を混合し、常温において３０分間攪拌した後、得られた溶液を目開き１．０μｍのメンブランフィルターを用いて濾過することにより各インク組成物を得た。なお表１中の各数値は、インク組成物の重量（総重量）を１００重量％とした場合の各成分の重量％を示し、さらに水の量を示す「残量」は、水以外の成分とあわせて合計１００重量％になる量を示す。
【００７６】
表１におけるインク組成物についての詳細は、次の通りである。
Ｍ１及びＭ２はマゼンタインク組成物、Ｙ１及びＹ２はイエローインク組成物、Ｃ１はシアンインク組成物をそれぞれ示す。なお、Ｍ１は、従来のインクジェットプリンタで使用されたマゼンタ染料を用いたマゼンタインク組成物であり、Ｍ２は、今回の発明であるＣ．Ｉ．リアクティブレッド１４１を使用したマゼンタインク組成物である。
【００７７】
また、表１に示した各着色剤のうち、Ｍ染料１は、従来一般に用いられているマゼンタ染料の一例として、以下の化学式（４）：
【化５】
2005255939.tif 000006
で表される染料である。また、式１の染料および／または式２の染料の例として、Ｃ．Ｉ．ダイレクトイエロー１７３及びＣ．Ｉ．ダイレクトイエロー８６を用い、式３の染料の例としてＣ．Ｉ．ダイレクトブルー１９９を用いた。
【００７８】
また表１中、TEGmBEはトリエチレングリコールモノ-n-ブチルエーテルを表す。また、表１中、オルフィンＥ１０１０（商標）及びオルフィンＳＴＧ（商標）は日信化学社製のアセチレングリコール系界面活性剤であり、プロキセルＸＬ−２（商品名）はＡＶＥＣＩＡ社製の防腐剤である。
【００７９】
【表１】
2005255939.tif 000007
【００８０】
〔記録物の印字〕
次に、上述のようにして調製した各インク組成物を表２に示すように組み合わせて、実施例１、実施例２、及び比較例１の各インクセットを得た。この各インクセットを、インクジェットプリンタＳｔｙｌｕｓ  Ｃｏｌｏｒ  ８８０（セイコーエプソン株式会社製）の専用カートリッジに充填し、同プリンタを使用して、インクジェット専用記録媒体（ＰＭ写真用紙、ＰＭマット紙、およびＥＰＳＯＮ光沢紙；それぞれ商品名、セイコーエプソン株式会社製）に印刷を行い、記録物を得た。具体的には、それぞれの色のＯＤ値が０．９〜１．１になるように調整されたベタ画像を前記記録媒体に印刷して記録物を作成した。得られた記録物について、以下の耐オゾン性試験を行った。
【００８１】
【表２】
2005255939.tif 000008
【００８２】
〔耐オゾン性試験方法〕
オゾンウェザーメーターＯＭＳ−Ｈ型（商品名、（株）スガ試験機製）を使用し、２４℃、６４％ＲＨの条件下、１０ｐｐｍ濃度のオゾンに上記記録物を曝露した。曝露開始から一定時間経過ごとに、濃度計（Spectrolino（商標）、Gretag社製）を使用して各記録物に記録されている各色のＯＤ値を測定した。ＯＤ値の測定条件は、光源をＤ５０とし、さらに視野角を２度とした。またこの測定は、測定対象である色毎に、シアンにはＲｅｄ、マゼンタにはＧｒｅｅｎ、イエローにはＢｌｕｅの各フィルターを用いて行った。得られた結果から次式：
ＲＯＤ（％）＝（Ｄ／Ｄ0）×１００
（式中、Ｄは曝露試験後のＯＤ値、Ｄ0は曝露試験前のＯＤ値を表す。）
を用いて光学濃度残存率（ＲＯＤ）を求めた。さらに、得られたＲＯＤ値に基づき、下記の判定基準を用いて、記録物に記録された各色の耐オゾン性をＡ〜Ｄにランク付けた。
【００８３】
［判定基準］
評価Ａ：試験開始から１２時間後のＲＯＤが７０％以上である。
評価Ｂ：試験開始から８時間以上〜１２時間未満でＲＯＤが７０％になる。
評価Ｃ：試験開始から４時間以上〜８時間未満でＲＯＤが７０％になる。
評価Ｄ：試験開始から４時間未満でＲＯＤが７０％になる。
【００８４】
また、上記評価において、インクセットを構成するインク組成物のうちで最も耐オゾン性が低い評価結果をそのインクセットの寿命とみなした。結果を表３に示した。表３に示したように、本発明のインクセットを用い、記録媒体としてＰＭ写真用紙を用いた場合には、特にマゼンタの耐オゾン性が良好となる。また、本発明のインクセットを用い、記録媒体としてＰＭマット紙を用いた場合及びＥＰＳＯＮ光沢紙を用いた場合には、マゼンタの耐オゾン性が改善されるとともにインクセットの寿命も比較例のインクセットに比べて改善された。本発明のインクセットを用いてＰＭマット紙に記録した記録物の耐オゾン性が特に優れていた。
【００８５】
【表３】
2005255939.tif 000009